(57)【特許請求の範囲】
【請求項１】
調節可能なレチクル（２）と、
調節移動の自由度に可動に取付けられ、かつ前記レチクル（２）を調節する目的のために操作者に作動させるために提供されている調節作動素子（７）、を有するレチクル調節デバイス（３）と、
を備えたレチクル調節用装置（１）において、
特に鋸歯状の三次元的な表面（１１）もしくは表面構造体（１１’）により形成されたクリック面（１２）が少なくとも部分的に設けられている第１クリックデバイス素子（９）と、
前記第１クリックデバイス素子に対して可動に取り付けられ、かつ前記第１クリックデバイス素子（９）の前記クリック面（１２）に篏合する第２クリックデバイス素子（１０）と、
を有するクリック／ロック複合デバイス（８）が備えられ、
前記クリック／ロック複合デバイス（８）は、第１操作モードにおいて、前記調節作動素子（７）が前記調節移動の自由度のうち少なくとも１つの自由度で運動した場合に、操作者が音響的および／または触覚的に知覚することのできる、音響的および／または触覚的フィードバックを生成するように構成されており、かつ、
前記クリック／ロック複合デバイス（８）は、第２操作モードにおいて、前記調節作動素子（７）の前記調節移動の自由度のうち少なくとも１つの自由度での動きをロックするように構成されている、
ことを特徴とするレチクル調節用装置。
【請求項２】
前記第１操作モードにおいて、前記第２クリックデバイス素子（１０）が、前記第１クリックデバイス素子（９）に対して移動した場合、
具体的には特に前記第２クリックデバイス素子（１０）が前記第１クリックデバイス素子（９）の前記クリック面（１２）に対して移動した場合に、
音響的なおよび／または触覚的なフィードバックが生成されるかまたは生成可能なように、前記第１クリックデバイス素子（９）と前記第２クリックデバイス素子（１０）が相互作用し、
前記移動は特に調節作動素子（７）を動かすことにより実現されることを特徴とする請求項１に記載のレチクル調節用装置。
【請求項３】
前記第２操作モードにおいて、前記調節作動素子（７）の調節移動の自由度のうち少なくとも１つの自由度での動きに抗する力を生成させるかまたは生成可能とすることで、前記調節作動素子（７）の調節移動の自由度のうち少なくとも１つの自由度での動きがロックされるように、前記第１クリックデバイス素子（９）と前記第２クリックデバイス素子（１０）が、固定動作もしくは留め動作を伴った相互作用を行うことを特徴とすることを特徴とする請求項１または２に記載のレチクル調節用装置。
【請求項４】
前記クリック／ロック複合デバイス（８）は、前記第２操作モードにおいて、
前記調節作動素子（７）の調節移動の自由度のうち少なくとも１つの自由度での動きを、最大でも最大力限界値もしくは最大トルク限界値まではロックするように構成され、
前記クリック／ロック複合デバイス（８）は、前記調節作動素子（７）に及ぼされる力またはトルクが前記最大力限界値または前記最大トルク限界値を超えた場合に、前記調節作動素子（７）が、前記調節移動の自由度のうち少なくとも１つの自由度で、さらに動くことが可能となることで、前記クリック／ロック複合デバイス（８）が損傷または破壊することがないように構成されていることを特徴とする請求項１〜３の何れか一項に記載のレチクル調節用装置。
【請求項５】
前記クリック／ロック複合デバイス（８）に割り当てられ、前記調節作動素子（７）とは独立して、少なくとも１つの作動動作の自由度で可動に取り付けられた作動素子（２２）が備えられ、
前記作動素子（２２）は、操作者が前記クリック／ロック複合デバイス（８）を前記第１操作モードおよび／または前記第２操作モードに移行する目的のために作動させるために提供されることを特徴とする請求項１〜４の何れか一項に記載のレチクル調節用装置。
【請求項６】
前記作動素子（２２）の動きに連動して前記作動素子（２２）に連結された制御素子（２３）であって、特に少なくとも部分的に中空円筒様または中空円筒状の形状を有し、特に前記レチクル（２）に向かう末端領域部分に、前記第２クリックデバイス素子（１０）に連結しているかまたは連結可能な制御部（２８）が備えられている制御素子（２３）、を備えていることを特徴とする請求項５に記載のレチクル調節用装置。
【請求項７】
前記制御部（２８）に、
小さな壁厚を有する第１制御部領域（２９）と、
比較的大きな壁厚を有する第２制御部領域（３０）と、
が備えられることを特徴とする請求項６に記載のレチクル調節用装置。
【請求項８】
前記第１制御部領域（２９）が、前記クリック／ロック複合デバイス（８）の第１操作モードにおいて、前記第２クリックデバイス素子（１０）に作用し、特に第２クリックデバイス素子（１０）もしくはこれに連結された構造部材（３１）に当接し、
前記第２クリックデバイス素子（１０）が前記第１クリックデバイス素子（９）の前記クリック面（１２）に抗して動くことで、前記第２クリックデバイス素子（１０）が前記第１クリックデバイス素子（９）の前記クリック面（１２）に対して移動した場合に、音響的および／または触覚的なフィードバックが生成されるか生成可能となり、
前記移動が特に前記調節作動素子（７）の移動により行われることを特徴とする請求項７に記載のレチクル調節用装置。
【請求項９】
前記第２制御部領域（３０）が、前記クリック／ロック複合デバイス（８）の第２操作モードにおいて、前記第２クリックデバイス素子（１０）に作用し、特に前記第２制御部領域（３０）が、第２クリックデバイス素子（１０）もしくはこれに連結された構造部材（３１）に当接し、
前記第２クリックデバイス素子（１０）が前記第１クリックデバイス素子（９）の前記クリック面（１２）に抗して、留め動作または固定動作を伴って移動することで、
前記調節作動素子（７）の前記調節移動の自由度のうち少なくとも１つの自由度での動きに抗する力が生成させるかまたは生成可能であることにより、前記調節作動素子（７）の前記調節移動の自由度のうち少なくとも１つの自由度での動きがロックされるように構成されていることを特徴とする請求項７または８に記載のレチクル調節用装置。
【請求項１０】
前記制御部（２８）が弾性的な構造からなることを特徴とする請求項６〜９の何れか一項記載のレチクル調節用装置。
【請求項１１】
前記第２クリックデバイス素子（１０）が前記調節作動素子（７）の動きに連動して前記調節作動素子（７）に連結されていることを特徴とする請求項１〜１０の何れか一項記載のレチクル調節用装置。
【請求項１２】
前記第２クリックデバイス素子（１０）は、特に中空円筒状の受け部（１９）の中に受け入れられている構造部材として形成されるか、または前記受け部（１９）の中に受け入れられている構造部材を備え、
前記構造部材は前記装置（１）の中心軸（Ａ）に対して特に放射状に配向し、
前記受け部（１９）は前記調節作動素子（７）の動きに連動して調節作動素子（７）に連結されている伝達部材（６）の受け部（１９）であることを特徴とする請求項１〜１１の何れか一項記載のレチクル調節用装置。
【請求項１３】
前記第２クリックデバイス素子（１０）は、バネ力の作用の下で、前記第１クリックデバイス素子（９）の前記クリック面（１２）に抗して動くことを特徴とする請求項１〜１２の何れか一項記載のレチクル調節用装置。
【請求項１４】
前記第１クリックデバイス素子（９）が構造部材として形成されるか、もしくは構造部材を備え、
前記構造部材は回転自在に固定されるように配置または形成され、
また特にリング様もしくはリング状の内周を有し、
この内周に前記クリック面（１２）を形成する三次元的な表面（１１）または表面構造体（１１’）が少なくとも部分的に設けられていることを特徴とする請求項１〜１３の何れか一項記載のレチクル調節用装置。
【請求項１５】
請求項１〜１４の何れか一項記載のレチクル（２）調節用装置（１）を少なくとも１つ備えた、特に眼鏡照準具である、長距離光学デバイス。
【発明の詳細な説明】
【技術分野】
【０００１】
本発明は、レチクルを調節する装置に関し、前記装置には調節可能なレチクルと、レチクル調節デバイスが備えられ、前記レチクル調節デバイスには、調節動作の自由度に可動に取り付けられ、またレチクルを調節する目的のために操作者により作動可能であるか、または作動のために提供されている、調節作動素子が備えられている。
【背景技術】
【０００２】
レチクルを調節するこのような装置は一般的に知られている。当該装置は通常、例えば銃器に取り付けられているかまたは取り付け可能な眼鏡照準具の形態を持つ、長距離光学デバイスの構成部分となる。当該装置のレチクルは、レチクル調節デバイスを用いて位置を調節することができるので、特定の発砲条件、具体的には特に所定の目標範囲、および関連する実際の着弾点に合わせて調節することができる。
【０００３】
ここで、当該装置にロックデバイスおよびクリックデバイスを設けることが知られており、当該ロックデバイスは、所定の位置に移動してきたレチクルをロックして、さらに動くことが防止されるように、調節作動素子の動きをロックするように設計され、また当該クリックデバイスは、前記ロックデバイスから分離しており、調節作動素子が動作した場合に、操作者に対して音響的および／または触覚的に知覚させる音響および／または触覚的なフィードバックを生成するように設計されている。
【０００４】
当該装置は、これまでは特にロック機能とクリック機能が構造的に分離されていたために、比較的複雑な構造を有してので、機能面と構造面の両方が比較的単純であって、なおかつ信頼性のあるロック／クリック機能を有するレチクル調整装置に需要が存在する。
【発明の概要】
【０００５】
本発明は従って、機能面と構造面から比較的簡単な構成を有し、かつ信頼性のあるロック／クリック機能を有するレチクル調整用のデバイスを特定するという目的に基づいている。
【０００６】
本目的は請求項１に係るレチクル調節装置を用いて達成される。従属請求項は本装置の有利な実施形態に関する。
【０００７】
本明細書に記載の装置（「本装置」）は、レチクルの位置を調節するように設計されており、つまりレチクルを初期位置または参照位置に対して調節するための目標標識の位置を調節するように設計されている。本装置は、長距離光学デバイスの調節タレットデバイスの調節タレットの形態でもよく、または対応する調節タレットデバイスの調節タレットの構成部分を形成することもできる。
【０００８】
本装置には、位置の調節が可能なレチクルと、当該レチクルに割り当てられたレチクル調節デバイスとが備えられる。レチクル調節デバイスはレチクルを調節するように設計されている。レチクルは通常、レチクル調節デバイスを用いて、直線の、特に水平もしくは鉛直の移動軸（調節軸）で調節可能である。通常、レチクル調節デバイスは調節機構として形成されるか、または調節機構を備えている。この調節装置は通常、回転運動（旋回運動）を、レチクルを直線状の運動軸（調節軸）に調節する直線運動に、変換するように設計されている。
【０００９】
レチクル調節デバイスは通常、レチクルを調節するために相互作用する２つの構成部分を備えている。レチクル調節デバイスの第１構成部分は通常、直線状に可動に取り付けられた調節部材を形成する。この調節部材はレチクルに対して可動なシャンク状の調節部を備えることができる。レチクルの調節は従ってレチクルに対する調節部の移動により行うことができ、この移動は、場合によっては、具体的にはバネ部材などの適当な復元部材を用いて生成された復元力に抗して行われる。レチクル調節デバイスの第２構成部分は通常、回転可能に取り付けられた伝達部材を形成する。伝達部材は調節部材に連結されており、伝達部材の回転運動が、調節部材の特にレチクルに対する直線運動に変換されるかまたは変換可能となるように、構成されている。伝達部材と調節部材の連結は、機械的な相互作用により実現可能であって、つまり通常は、伝達部材面にあるねじ部材と調節部材面にある対抗ねじ部材との篏合により実現される。伝達部材の表面にあるねじ部材は通常、特に中空円筒状の伝達部材部位の内周領域に形成される雌ねじ部である。調節部材の表面にある対抗ねじ部材は通常、特にシャンク状の調節部材部位の外周領域に形成された雄ねじ部である。
【００１０】
レチクル調節デバイスにはさらに調節作動素子が備えられ、この調節作動素子は、調節移動の自由度に可動に取り付けられ、またレチクルを調節する目的のために操作者が作動するために提供されている。調節作動素子は通常、上記の伝達部材に回転可能に結合して連結されている。調節移動の自由度は回転運動の自由度とすることができるため、操作者が行う対応する動作もまた回転運動となる。この回転軸は通常、本装置の中心軸に対応したものであり、本装置の回転対称な各部品により定められる。調節作動素子は回転対称な形状とすることが可能で、つまり調節作動素子は、例えば、リング様もしくはリング形状、または袖様もしくは袖形状、または中空円筒様もしくは中空円筒状の基本形状を有することができる。調節作動素子は、本装置の他の（回転対称な）各部品に対し、同軸上に設けることができる。
【００１１】
本装置にはさらにクリック／ロック複合デバイス（「本デバイス」）が備えられている。本デバイスには、第１クリックデバイス素子と第２クリックデバイス素子とが備えられる。第１クリックデバイス素子には、三次元的に形成されたクリック面、具体的には特に鋸歯状もしくは歯付きの、好ましくはギザギザ状もしくは刻み付きの表面もしくは表面構造体が形成されたクリック面を、少なくとも部分的に、とりわけ全体的に設けることができる。第２クリックデバイス素子は、第１クリックデバイス素子に対し可動となるように取り付けられている。第２クリックデバイス素子は、第１クリックデバイス素子のクリック面と常に篏合しており、具体的には機械的に接触している。第２クリックデバイス素子は従って、第１クリックデバイス素子のクリック面に常に抗しながら移動し、第２クリックデバイス素子と第１クリックデバイス素子との間に機械的な接触が常に存在するように構成されている。第２クリックデバイス素子には通常、対応する三次元的な表面もしくは表面構造体を備える有効領域、具体的には特に鋸歯状もしくは歯付きの、好ましくはギザギザ状もしくは刻み付きの、表面もしくは表面構造体を備える有効領域が設けられており、これを用いて、第２クリックデバイス素子と第１クリックデバイス素子との間に、実際の篏合または機械的な接触が実現される。
【００１２】
第１クリックデバイス素子は、構造部材として形成されるかまたは構造部材を備えており、前記構造部材は具体的に回転可能に固定および／または位置固定されるように配置または形成され、特にリング様またはリング状に形成された内周を有しており、この内周には、クリック面を形成する三次元的な表面または表面構造体が、少なくとも部分的に設けられている。第１クリックデバイス素子は、例えば、リング様もしくはリング形状の基本形状を有することができる。第１クリックデバイス素子は、本装置の位置固定取付け部材に、回転的におよび／または位置固定で連結される。第１クリックデバイス素子は本装置の取付け部材に直接的に位置固定で連結することができ、または間接的、つまり本装置の取付け部材に位置固定で連結している少なくとも１つの追加構造部材の介在により、間接的に連結することができる。取付け部材は、本装置を長距離光学デバイス、つまり特に眼鏡照準具に取り付けるために設計されており、かつこの目的のために複数の好適な取付け接合部を備えている。これに対応する取付け接合部は、具体的には、例えば取り付けネジなどの取付け部材により貫通して延長可能な複数の取付け孔などとすることができる。
【００１３】
第２クリックデバイス素子は、特に中空円筒状の受け部の中に受け入れられている構造部材として形成されるか、またはこれを備え、当該構造部材はレチクル調節デバイスの伝達部材の受け部であって、特にデバイスの中心軸に対して放射状に配向されており、その伝達部材は調節作動素子の動きに連動して調節作動素子と連結している。伝達部材には通常、中空円筒状の本体部分と前記受け部が備えられている。この本体部分は、本装置の中心軸に対して軸方向に延びるようにして形成される。受け部は、本装置の中心軸に対し半径方向に延びて配向されるようにして形成される。受け部は、本体部分の特にレチクルに向かう自由端の領域において、通常は本体部分から突出している。
【００１４】
第２クリックデバイス素子は通常、調節作動素子の動きに連動して調節作動素子に連結されている。調節移動の自由度における調節作動素子の運動はしたがって、第２クリックデバイス素子の運動、通常は第２クリックデバイス素子の同じ方向の運動を引き起こす。
【００１５】
以下に説明される通り、第２クリックデバイス素子は、バネ力が及ぼされた状態で、第１クリックデバイス素子のクリック面に抗して動くことができる。これは、第２クリックデバイス素子の受入れ領域に受け入れられているバネ部材（圧縮バネ部材）などを用いて行うことができる。
【００１６】
本デバイスは第１操作モードと第２操作モードに移行可能であって、つまり本デバイスには、第１操作モードと第２操作モードがある。本デバイスは、第１操作モードにおいて、調節作動素子が調節移動の自由度のうち少なくとも１つの自由度に移動するかまたは作動した場合に、操作者に音響的および／または触覚的に知覚可能な、音響的および／または触覚的なフィードバックが生成されるように設計されている。したがって、第１クリックデバイス素子と第２クリックデバイス素子は互いに作用して、第１操作モードにおいて、第２クリックデバイス素子が第１クリックデバイス素子に対して移動した場合、具体的には特に第１クリックデバイス素子のクリック面に対して移動した場合に、音響的なおよび／または触覚的なフィードバックが生成されるか生成可能なように構成されており、この移動は特に調節作動素子を動かすことにより実現される。したがって、この第１操作モードでは、本デバイスの機能には、音響的および／または触覚的なフィードバックを生成すること、具体的にはレチクルを調節する目的で調節作動素子を作動または動かした場合に、クリックを生成することが含まれる。
【００１７】
本デバイスは、第２操作モードにおいて、調節作動素子の調節移動の自由度のうち少なくとも１つの自由度における動作をロックするように設計されている。第１クリックデバイス素子と第２クリックデバイス素子は、第２操作モードにおいて、調節作動素子の調節移動の自由度のうち少なくとも１つの自由度における動きに抗する力が生成させるかまたは生成可能であることにより、調節作動素子の調節移動の自由度のうち少なくとも１つの自由度における動きがロックまたは妨げられるように、相互作用する。第２操作モードにおいて、第２クリックデバイス素子は通常、第１クリックデバイス素子に固定または留められており、調節作動素子の少なくとも１つの調節自由度における動きに抗する力が生成させるかまたは生成可能であることにより、調節作動素子の少なくとも１つの調節自由度における動きがロックまたは（大きく）妨げられるように構成されている。第２クリックデバイス素子は、第１クリックデバイス素子のクリック面に抗して、第２操作モードでは、第１操作モードのときと比較してより（かなり）大きな力を用いて動かされるしたがって、第２操作モードにおいて、本デバイスの機能は、調節作動素子の動きまたは動作に抗する力を生成することにより、レチクルの（さらなる）動作または動きを（大きく）妨げるかまたはロックすることが含まれる。
【００１８】
ロックとして完全なロックを考えることも可能ではあるが、通常は、レチクル調節デバイスが損傷または破壊されることがないように、調節作動素子が（さらに）動作しないように調節作動素子の（さらなる）作動または移動が完全にロックされることを意味しない。本デバイスは通常、第２操作モードにおいて、調節作動素子の少なくとも１つの調節移動の自由度における動作または動きを、最大でも、既定もしくは所定の最大力限界値もしくは最大トルク限界値までに（限定して）ロックするように構成されている。本デバイスはしたがって、調節作動素子に及ぼされる力またはトルクが最大力限界値または最大トルク限界値を超えた場合には、調節作動素子の少なくとも１つの調節移動の自由度における、さらなる動作または動きが可能となり、本デバイスが損傷または破壊することのないように設計されている。最大力限界値または最大トルク限界値は、本装置、特に本デバイスの種々の構造部材の構造設計から選択され、具体的には、特に以下により詳細に説明される、制御素子およびクリックデバイス素子の種々の構造部材の構造設計から選択され、上記の最大力限界値または最大トルク限界値が、特に本装置が意図される使用の際に必要とされる力の使用を超えた、かなり大きな力を用いて、人間によってのみ（これが存在する場合）突破されるように構成されている。本デバイスの第２操作モードで調節作動素子をさらに移動または動作させるには、通常は少なくとも４００Ｎｃｍのトルクまたは力を与える必要がある。
【００１９】
何れにせよ、本デバイスは確実なクリック／ロック機能を有しているため、本デバイスでは、クリック機能とロック機能が１つの同じ部品ユニットにまとめられている。背景技術に記載の公知技術に対して改良されたデバイスが提供される。
【００２０】
本デバイスには作動素子が備えられており、作動素子は、上記の調節作動素子とは独立して、少なくとも１つの作動動作の自由度に可動に取り付けられ、また作動素子は、操作者が本デバイスを第１操作モードおよび／または第２操作モード移行する目的のために作動させるために設けられている。作動素子は回転対称な形状とすることが可能で、つまり作動素子は、例えば、リング様もしくはリング形状、または袖様もしくは袖形状、または中空円筒様もしくは中空円筒状の基本形状を有することができる。作動素子は、本装置の他の（回転対称な）各部品に対し、同軸上に設けることができる。作動素子には、球面キャップ様もしくは球面キャップ状の作動部が備えられ、作動部は調節作動素子の表面または上面側に少なくとも部分的に設けられるようにして配置または形成され、操作者に把持されることにより作動素子を作動させる目的のために提供されている。
【００２１】
作動動作の自由度は、回転動作の自由度とすることができる。作動素子はしたがって、本装置の中心軸に対する第１回転（角度）位置と本装置の中心軸に対する第２回転（角度）位置との間を移動できるように取付けられており、第１回転（角度）位置は本デバイスの第１操作モードに対応し、第２回転（角度）位置は本デバイスの第２操作モードに対応する。本デバイスはこのようにして、操作者の動作により引き起こされる、作動素子の、第１回転（角度）位置と第２回転（角度）位置の間の回転動作を用いて、第１操作モードおよび第２操作モードに移行することができる。
【００２２】
また別の代替え的なまたは追加的な実施形態では、作動素子は、本装置の中心軸に対する第１の軸位置と、本装置の中心軸に対する第２の軸位置との間で移動できるように取り付けることが可能であって、この第１の軸位置は、本デバイスの第１操作モードに対応し、この第２の軸位置は、本デバイスの第２操作モードに対応する。この作動動作の自由度を、結果的に軸的な並進移動の自由度とすることもできる。本デバイスはしたがって、作動素子の軸的な並進移動、具体的には操作者の動作により引き起こされる、作動素子の第１軸位置と第２軸位置との間の押引運動などにより、第１操作モードおよび第２操作モードに移行可能であって、ここで第１軸位置は具体的には例えば上側の位置であり、第２軸位置は具体的には例えば下側の位置である。
【００２３】
また別の代替え的なまたは追加的な実施形態では、作動素子は、本装置の中心軸に対する第１径位置と、本装置の中心軸に対する第２径位置との間で可動に取り付けられることが可能であって、この第１径位置は、本デバイスの第１操作モードに対応し、この第２径位置は、本デバイスの第２操作モードに対応する。この作動動作の自由度を、結果的に径の並進移動の自由度とすることもできる。本デバイスはしたがって、作動素子の径方向の運動、具体的には操作者の動作により引き起こされる、作動素子の第１径位置と第２径位置との間の摺動運動などにより、第１操作モードおよび第２操作モードに移行可能であって、ここで第１径位置は具体的には例えば外側の位置であり、また第２径位置は具体的には例えば内側の位置である。
【００２４】
以上の記載から、本デバイスを第１操作モードまたは第２操作モードに移行させる目的のため、作動素子の複数の異なる作動動作の自由度を組み合わせた運動もまた考えられよう。
【００２５】
本装置または本デバイスには制御素子が備えられており、制御素子は特に少なくとも部分的に中空円筒様もしくは中空円筒状の形状をしており、また制御素子には第２クリックデバイス素子に連結しているか連結可能な制御部が備えられている。制御素子は通常、作動素子の動きに連動して作動素子に連結されている。作動素子の作動動作の自由度における運動により、制御素子が通常は同じ方向に移動する。制御素子は回転対称な形状を有してもよく、つまり制御素子は、中空円筒様もしくは中空円筒状の幾何的な基本形状を有することができる。制御素子は本装置の他の（回転対称な）各部品に対して同軸上に配置可能である。制御素子には本体部分が備えられる。本体部分は通常、本装置の中心軸に対して軸方向に延びるように向いて形成される。制御部は、制御素子の本体部分の、レチクルに向かう末端領域部分に形成または配置することができる。
【００２６】
制御部には、壁厚の小さな第１制御部領域と壁厚の比較的大きな第２制御部領域とが備えることができる。第１制御部領域と第２制御部領域の移行は連続的なものとすることができる。第１制御部領域と第２制御部領域の間の移行は、例えば、上記の第１制御部領域と第２制御部領域の間に傾斜して延びている別の制御部領域を用いて実現させることができる。各々の制御部領域は、周方向からみて、何れの場合においても、制御素子の本体部分の外周における特定の領域に延びている。
【００２７】
第１制御部領域は、本デバイスの第１操作モードにおいて、第２クリックデバイス素子に作用し、ここで第２クリックデバイス素子が第１クリックデバイス素子のクリック面に抗して動くことで、第２クリックデバイス素子が第１クリックデバイス素子のクリック面に対して移動した場合に、音響的および／または触覚的なフィードバックが生成されるか生成可能なように構成されているが、この動作は特に調節作動素子の移動により行われるものである。第２クリックデバイス素子に対する第１制御部領域の作用は、例えば、第１操作モードでは、第１制御部領域が、第２クリックデバイス素子、またはこれに連結された構造部材に当接することにより実現することができる。したがって、第１操作モードでは、第１制御部領域が第２クリックデバイス素子に対して可動となり、第１制御部領域が、第２クリックデバイス素子に当接するか、または前記第２クリックデバイス素子に連結された構造部材に当接するように構成されている。第２クリックデバイス素子に連結している構造部材はペグ部材などとすることができ、これは第２クリックデバイス素子の受入れ空間の中に部分的に受け入れられている。ペグ部材と第２クリックデバイス素子の間に、バネ部材を設けることができ、これにより、第２クリックデバイス素子がバネ力の作用の下で第１クリックデバイス素子のクリック面に抗して動く。バネ部材は、一側がペグ部材に支持されている一方で、他側を第２クリックデバイス素子に支持させることができる。
【００２８】
第２制御部領域は通常、本デバイスの第２操作モードにおいて、第２クリックデバイス素子に作用し、ここで第２クリックデバイス素子が、固定または留め動作を伴って、第１クリックデバイス素子のクリック面に抗して動くことで、調節作動素子の調節移動の自由度のうち少なくとも１つの自由度における動きに抗する力が生成されるかまたは生成可能なことにより、調節作動素子の調節移動の自由度のうち少なくとも１つの自由度における動きがロックされるようになっている。第２クリックデバイス素子に対する第２制御部領域の動作は、例えば、第２操作モードでは、第２制御部領域を第２クリックデバイス素子に当接させるか、または第２クリックデバイス素子に連結された構造部材、具体的には例えば上記のペグ部材である構造部材に当接させることにより実現することができる。したがって、第２操作モードでは、第２制御部領域が第２クリックデバイス素子に対して可動となり、第２制御部領域が第２クリックデバイス素子に当接するか、または第２クリックデバイス素子に連結された構造部材に当接するように構成されている。第２制御部領域が、第１制御部領域と比較して比較的大きな壁厚を有することによって、第２クリックデバイス素子が、第１クリックデバイス素子のクリック面に抗して、固定または留め動作を伴って移動し、つまり第２クリックデバイス素子は第１クリックデバイス素子のクリック面に抗して固定または留められるが、これにより調節作動素子の調節移動の自由度のうち少なくとも１つの自由度での運動に抵抗する力が生成され、これにより調節作動素子の動きを、調節移動の自由度のうち少なくとも１つの自由度でロックすることが可能になる。上記の通り、第２操作モードでは、第２クリックデバイス素子が、（かなり）大きな力で第１クリックデバイス素子のクリック面に抗して動かされることで、固定または留められる動作が生じる。
【００２９】
制御素子は、少なくとも制御部の領域を、弾性的な弾力性があるかまたは可逆的に変形可能な構造より構成することができる。制御素子または制御部が弾性的な弾力性があるかまたは可逆的に変形可能な構造からなるとは、制御素子または制御部が弾性的な弾力性のある挙動を示すことを意味するのであって、具体的には特に制御素子または制御部が規定の形状から歪んだ状態に歪められた後に、弾性的に回復する挙動を示すことであり、これは幾何構造的な手段を用いて、および／または、弾性的な材料、特に好ましくは鋼鉄などの金属材料を用いて実現される。制御素子または制御部の弾性的な形状により、第２操作モードにおいて、最大力限界値もしくは最大トルク限界値を超えた力もしくはトルクが及ぼされる場合であっても、本デバイスが損傷または破損することなく、調節作動素子が、調節移動の自由度のうち少なくとも１つの自由度で、さらに移動または作動することが上記の通り可能となる。
【００３０】
本発明は、本装置だけでなく長距離光学デバイスに関するものでもある。長距離光学デバイスは、ライフルなどの銃器もしくは銃に取付け可能か、または取付けるための目的で提供されている、眼鏡照準具などのことである。眼鏡照準具は特に、覗き込んだ遠方目標物を光学的に拡大するために機能する。この目的のため、長距離光学デバイスには、目標物と接眼レンズとの間に設けられた複数の光学素子、具体的には特に複数の光学拡大素子が備えられている。光学素子は、レンズもしくはプリズムなどとすることができるが、光学通路を形成する。
【００３１】
長距離光学デバイスは、レチクルを調節するために上記の少なくとも１つの装置を備えている。本装置に関する全ての記載は、長距離光学デバイスにも同様に適応される。レチクルは、複数の光学素子により形成された、長距離光学デバイスの光学通路の中に設けられる。レチクルは位置を（光学通路の内部で）調節可能であって、これにより所定の発砲状況に合わせた調節、具体的には特に所定の目標範囲や関連する実際の衝突点に合わせて調節することができる。レチクルの調節位置は、レチクルの水平位置および／または鉛直位置の調節、特に水平および／または鉛直の初期位置もしくは参照位置に関連した調節を意味するものとして理解されよう。
【図面の簡単な説明】
【００３２】
本発明は、図面の各図における例示的な実施形態に基づいてより詳細に説明される。
【図１】図１は本実施形態に係るレチクル調節用装置の縦断面図である
【図２】図２は本実施形態に係るレチクル調節用装置の縦断面図である
【図３】図３は図１に示された詳細部分ＩＩＩの拡大図である。
【発明を実施するための形態】
【００３３】
図１と図２は何れも本実施形態に係るレチクル２を調節する装置１の縦断面図である。図３は、図１に図示された詳細ＩＩＩを拡大して僅かに傾斜させた説明図である。これらの図面から、本装置１は調節タレットデバイスの調節タレットとすることができる様子を認めることができる。
【００３４】
本装置１には目標標識であるレチクル２が備えられ、これは図面に単に概略的に示されており、その位置（初期位置また参照位置と比較した位置）は調節可能である。レチクル２は、本装置１を、眼鏡照準具などの長距離光学デバイス（図示せず）に組み立てた状態で、長距離光学デバイスの光学素子により形成された光学通路の中に配置される。レチクル２の位置は（当該光学通路の内部で）調節可能であるため、所定の発砲条件、具体的には所定の目標範囲、および関連する実際の着弾点に合わせて調節することができる。
【００３５】
本装置１には、レチクル２に割り当てられたレチクル調節デバイス３が備えられている。レチクル調節デバイス３はレチクル２を調節するように構成されている。
【００３６】
レチクル２は、レチクル調節デバイス３を用いて、図１および図２に示された両矢印Ｐ１により示された直線移動軸（調節軸）で調節可能である。レチクル調節デバイス３は、回転運動を直線運動に変換し、直線運動によりレチクル２が直線移動軸（調節軸）で調節されるように構成された調節機構の形態にある。図示の通り、直線移動軸は、本装置１の回転対称部材（詳細については記載しない）により定められる中心軸Ａに一致する。
【００３７】
レチクル調節デバイス３にはレチクル２を調節する目的のために作用する２つの構成部分が備えられる。レチクル調節デバイス３の第１構成部分は、レチクル２の動きに連動してレチクル２に連結されている、直線移動可能に取付けられた調節部材４である。調節部材４には、レチクル２に対して移動可能なシャンク状の調節部５が備えられる。レチクル２の調節はレチクル２に対する調節部５の移動により行われ、具体的にはバネ部材などの適当な復元部材（図示せず）を用いて生成された復元力に抗して行うことが可能である。レチクル調節デバイス３の第２構成部分は、回転可能に取付けられた伝達部材６により形成される。伝達部材６は調節部材４に連結されており、伝達部材６の回転運動が、調節部材４の、特にレチクル２に対する直線運動に変換されるかまたは変換可能となるようになっている。伝達部材６と調節部材４の連結は、伝達部材面にあるネジ部材（図示せず）と調節部材面にある対抗ねじ部材（図示せず）の機械的な相互作用により行われる。伝達部材面にあるねじ部材は、中空円筒状の伝達部材セクションの内周領域に形成された雌ねじ部とすることができる。調節部材面にある対抗ねじ部材は、シャンク状の調節部５の外周にある領域に形成された雄ねじ部である。
【００３８】
レチクル調節デバイス３にはさらに、調節移動の自由度で可動に取り付けられ、レチクル２を調節するために操作者により動作されるために提供された、調節作動素子７が備えられている。調節作動素子７は、伝達部材６に結合して回転可能に連結されている。調節移動の自由度は、図１に二重矢印Ｐ２で示された、回転運動の自由度であるため、操作者による対応する動作は、回転運動となる。回転軸は装置１の中心軸Ａに対応している。実施形態において、調節作動素子７は回転対称な基本形状を有し、つまり調節作動素子７は、具体的には、リング様もしくはリング形状の幾何基本形状を有し、本装置１の他の各部品に対して同軸状に配置される。
【００３９】
本装置１にはさらに、クリック／ロック複合デバイス８（「本デバイス」）が備えられている。デバイス８には、第１クリックデバイス素子９と第２クリックデバイス素子１０とが備えられる。第１クリックデバイス素子９には、特に図３に認められる通り、三次元的に形成されたクリック面１２、具体的には三次元的に鋸歯状もしくは歯付きの、またはギザギザ状もしくは刻みが付いた表面１１もしくは表面構造体１１’により形成されたクリック面を設けることができる。第２クリックデバイス素子１０は、第１クリックデバイス素子９に対し可動となるように取り付けられている。第２クリックデバイス素子１０は、第１クリックデバイス素子９のクリック面１２に篏合しており、具体的には機械的に接触している。第２クリックデバイス素子１０は従って、第１クリックデバイス素子９のクリック面１２に当接しながら動き、第２クリックデバイス素子１０と第１クリックデバイス素子９との間に機械的な接触が常に存在するようになっている。一方、図３に具体的に認められる通り、第２クリックデバイス素子１０には、対応する三次元的な表面構造体１３が設けられた有効表面１４が備えられており、これを用いて、第２クリックデバイス素子１０と第１クリックデバイス素子９との間に、実際の篏合または機械的な接触が発生する。
【００４０】
第１クリックデバイス素子９は、回転可能にもしくは位置固定されるように配置されたリング状の構造部材として形成され、クリック面１２を形成する三次元的な表面１１または表面構造体１１’が設けられた内周が設けられている。第１クリックデバイス素子９は、本装置１の回転もしくは位置固定取付け部材１５に、回転的にまたは位置固定されて連結されている。各図面に示された実施形態において、第１クリックデバイス素子９は、取付け部材１５に回転自在にまたは位置固定で間接的に連結されており、具体的には取付け部材１５に回転的にまたは位置固定的に連結された追加構造部材１６を介在させて間接的に連結されている。取付け部材１５に対する第１クリックデバイス素子９の直接的な連結も、自明に考えられよう。取付け部材１５は取付けベースとも呼ばれ、本装置を長距離光学デバイスに取り付けるように設計されており、この目的のために複数の好適な取付け接合部１７を備えている。これに対応する取付け接合部は、実施形態において、具体的には例えば取り付けねじなどの取付け部材１８を用いて貫通して延長可能な、複数の取付け孔などである。
【００４１】
第２クリックデバイス素子１０は、中空円筒状の受け部１９の中に受け入れられている構造部材２０として形成され、当該構造部材２０はレチクル調節デバイス３の伝達部材６の受け部１９の中に受け入れられ、本装置１の中心軸Ａに対して放射状に配向されている。伝達部材６には、本装置１の中心軸Ａに対して軸方向に延びるように配向するように形成された中空円筒状の本体部分２１と、本装置１の中心軸Ａに対し放射状に延びるように配向して形成された受け部１９とが備えられている。受け部は、本体部分２０のレチクル２に向かう端部領域において、本体部分２０から突出している。
【００４２】
第２クリックデバイス素子１０はこのように、調節作動素子７の動きに連動して調節作動素子７に連結されている。調節作動素子７の運動はしたがって、第２クリックデバイス素子１０の同じ方向の運動を引き起こす。
【００４３】
デバイス８は第１操作モードと第２操作モードに移行することができる。図１および図３に図示の第１操作モードにおいて、デバイス８は、調節作動素子７が作動または移動した場合に、操作者に音響的および／または触覚的に知覚させる音響および／または触覚的なフィードバックを生成するように設計されている。第１クリックデバイス素子９と第２クリックデバイス素子１０は、第１操作モードにおいて、第２クリックデバイス素子１０が第１クリックデバイス素子９、または第１クリックデバイス素子９のクリック面１２に対して移動した場合に、音響および／または触覚的なフィードバックが生成されるか生成可能なように、相互作用し、この移動は調節作動素子７の移動により実現される。したがって、この第１操作モードでは、デバイス８の機能は、音響および／または触覚的なフィードバックを生成すること、具体的にはレチクル２を調節する目的で調節作動素子７が作動または動いた場合に、クリックを生成することである。
【００４４】
デバイス８は、図２に図示の第２操作モードにおいて、調節作動素子７の動作をロックするように設計されている。第１クリックデバイス素子９と第２クリックデバイス素子１０は、第２操作モードにおいて、調節作動素子７の動きに抗する力が生成させるかまたは生成可能であることにより、調節作動素子７の動きがロックまたは妨げられるように、互いに作用する。第２操作モードにおいて、第２クリックデバイス素子１０は、第１クリックデバイス素子９に固定または留められており、調節作動素子７の動きに抗する力が生成させるかまたは生成可能であることにより、調節作動素子７の動きがロックまたは（大きく）妨げられるように構成されている。第２操作モードにおいて、第２クリックデバイス素子１０は、第１クリックデバイス素子９のクリック面１２に対し第２クリックデバイス素子１０が、第１操作モードのときと比較してより（かなり）大きな力を用いて動かされることにより、固定動作または留め動作が生じる。したがって、第２操作モードにおいて、デバイス８の機能は、調節作動素子７の動きまたは動作に抗する力を生成することにより、レチクル２の（さらなる）動作または動きを（大きく）妨げるかまたはロックすること、から構成される。
【００４５】
ロックとは通常は完全なロックではなく、レチクル調節デバイスが損傷または破壊されることがないように、調節作動素子が（さらに）動作しないように調節作動素子の（さらなる）作動または移動が完全にロックされることは意味しない。デバイス８は第２操作モードにおいて、調節作動素子７の動作または動きを、最大でも、既定もしくは所定の最大力限界値もしくは最大トルク限界値までは（限定して）ロックするように構成されている。デバイス８はしたがって、調節作動素子７に及ぼされる力またはトルクが最大力限界値または最大トルク限界値を超えた場合に、調節作動素子７のさらなる動作または動きが可能となってデバイス８が損傷または破壊することのないように設計されている。最大力限界値または最大トルク限界値は、特に本装置１またはデバイス８の種々の構造部材の構造設計から選択され、具体的には特に以下により詳細に説明される、制御素子２２およびクリックデバイス素子９，１０の種々の構造部材の構造設計から選択されており、上記の最大力限界値または最大トルク限界値が、特に本装置１が意図している使用の際に必要とされる力の利用を超えた、かなり大きな力を用いて、人間によってのみ（これが存在する場合）突破されるように構成されている。
【００４６】
デバイス８には作動素子２２が備えられており、作動素子２２は、調節作動素子７とは独立して、少なくとも１つの作動動作の自由度において可動に取り付けられ、また作動素子２２は、操作者がデバイス８を第１操作モードおよび／または第２操作モード移行する目的のために作動させるために設けられている。実施形態において、作動素子２２は本装置１の他の各（回転対称）部品と同軸上に配置され、また作動素子２２には作動部２３が備えられ、作動部２３は調節作動素子７の表面または上面側に設けられるようにして配置され、操作者に把持されることにより作動素子２２を作動させる目的のために提供されている。
【００４７】
作動素子２２の作動動作の自由度は、実施形態において、回転動作の自由度であるため、作動素子２２は、本装置１の中心軸Ａにより形成された回転軸に対して回転自在に取付けられている。作動素子２２はしたがって、本装置の中心軸Ａに対する第１回転（角度）位置と本装置の中心軸Ａに対する第２回転（角度）位置との間を移動できるように取付けられており、第１回転（角度）位置はデバイス８の第１操作モードに対応し、第２回転（角度）位置はデバイス８の第２操作モードに対応する。デバイス８はこのようにして、操作者の動作により引き起こされる、第１回転（角度）位置と第２回転（角度）位置の間の、作動素子２２の回転動作により、第１操作モードおよび第２操作モードに移行することができる。
【００４８】
また別の代替え的な実施形態では、作動素子２２は、本装置１の中心軸Ａに対する第１の軸および／または径位置と、本装置１の中心軸Ａに対する第２の軸および／または径位置との間で移動できるように、追加的にまたは代替え的に取り付けられることが可能であって、第１の軸および／または径位置は、デバイス８の第１操作モードに対応し、第２の軸および／または径位置は、デバイス８の第２操作モードに対応する。
【００４９】
本装置１またはデバイス８には制御素子２３が備えられており、制御素子２３は少なくとも部分的に中空円筒状の形状をしており、また制御素子２３には第２クリックデバイス素子１０に連結しているか連結可能な制御部２４が備えられている。制御素子２３は、構造部材２５、２６を用いて、作動素子２２の動きに連動して、作動素子２２に連結されている。構造部材２５は作動素子２２に回転自在に結合して連結されている接続部材であって、また構造部材２６は固定部材であって、当該接続部材を制御素子２３の接続領域２７に回転自在に結合して連結させ、この接続領域は制御素子２３の本体部分２８から延びている。作動素子２２の作動動作の自由度における運動により、制御素子２３が同じ方向に移動する。
【００５０】
制御素子２３には本体部分２８が備えられる。本体部分２８は、本装置１の中心軸Ａに対して軸方向に延びるように配向して形成される。制御部２４は、制御素子２３の本体部分２８の、レチクル２に向かう末端領域部分に設けられている。
【００５１】
制御部２４には、壁厚の小さな第１制御部領域２９（図１および図３を参照のこと）と壁厚の比較的大きな第２制御部領域３０（図２を参照のこと）とが備えられている。第１制御部領域２９と第２制御部領域３０の移行は連続的なものとすることができ、これは上記の第１制御部領域と第２制御部領域の間に傾斜して延びている別の制御部領域（図示せず）を用いて実現させることができる。
【００５２】
図示の通り、第１制御部領域２９は、図１および図３に図示のデバイス８の第１操作モードにおいて、第２クリックデバイス素子１０に作用し、ここで第２クリックデバイス素子１０が第１クリックデバイス素子９のクリック面１２に対し動くことで、第２クリックデバイス素子１０が第１クリックデバイス素子９のクリック面１２に対して動いた場合に、音響的および／または触覚的なフィードバックが生成されるか生成可能なように構成されている。第２クリックデバイス素子１０に対する第１制御部領域２９の動作は、本実施形態において、第１操作モードでは、第１制御部領域２９が、第２クリックデバイス素子１０に連結された構造部材３１に当接することにより実現される。したがって、第１操作モードでは、第１制御部領域２９が第２クリックデバイス素子１０に対して移動し、第１制御部領域が、第２クリックデバイス素子１０に連結された構造部材３１に、当接するように構成されている。構造部材３１はペグ部材３１であって、第２クリックデバイス素子１０の受入れ空間３２の中に部分的に受け入れられている。図示の通り、ペグ部材３１と第２クリックデバイス素子１０の間にバネ部材３３が設けられており、これによりバネ力の作用の下で、第２クリックデバイス素子１０が、第１クリックデバイス素子９のクリック面１２に抗して動く。バネ部材３３は、一側がペグ部材に支持されている一方で、他側が第２クリックデバイス素子１０に支持されている。
【００５３】
第２制御部領域３０は、デバイス８の第２操作モードにおいて、第２クリックデバイス素子１０に作用し、これにより第２クリックデバイス素子１０が、第１クリックデバイス素子９のクリック面１２に抗して固定または留め動作を伴って移動してくることで、調節作動素子８の動きに抗する力が生成されるかまたは生成可能なことにより、調節作動素子７の動きがロックされるようになっている。第２クリックデバイス素子１０に対する第２制御部領域３０の動作は、第２操作モードでは、第２制御部領域３０がペグ部材である構造部材３１に当接することにより実現される。したがって、第２操作モードでは、第２制御部領域３０が構造部材３１に当接するようにして、第２制御部領域３０が第２クリックデバイス素子１０に対し移動する。制御部領域３０が第１制御部領域２９と比較して比較的大きな壁厚を有することによって、第２クリックデバイス素子１０が、第１クリックデバイス素子９のクリック面１２に対して、固定または留め動作を伴って移動してくることで、つまり第１クリックデバイス素子９のクリック面１２に対して固定または留められることにより、調節作動素子７の動きに抗する力が生成され、調節作動素子７の動きをロックすることが可能になる。
【００５４】
制御素子２３は、制御部２８の領域が、弾性的な回復力があるかまたは可逆的に変形可能な構造からなる。制御素子２３または制御部２８の弾性的な構造によって、第２操作モードにおいて、最大力限界値または最大トルク限界値を超えた力やトルクが及ぼされた場合でも、デバイス８が損傷または破壊されることなく、調節作動素子がさらに動作または移動することが上記の通りできるようになる。
【図１】
0006780896.tif 000002
【図２】
0006780896.tif 000003
【図３】
0006780896.tif 000004